(57)【要約】【課題】屋外設置型の遮断器の開閉試験を円滑におこなうこと。【解決手段】遮断器導電材料によって形成され、一端が、真空遮断器１１０における遮断部の両端に設けられた一対の導体のうちの一方の導体に電気的に接続されたバイパス部材１０１を備え、当該バイパス部材１０１の位置を、バイパス部材１０１の他端１０１ａを一対の導体のうちの他方の導体に電気的に接続する位置と、バイパス部材１０１の他端１０１ａと他方の導体との電気的な接続を遮断する位置と、に切り替えるバイパス断路器１００を構成した。【選択図】図６
2012253917.tif 000002
【特許請求の範囲】
【請求項１】
導電材料によって形成され、一端が、遮断器における遮断部の両端に設けられた一対の導体のうちの一方の導体に電気的に接続されたバイパス部材と、
前記バイパス部材の位置を、前記バイパス部材の他端を前記一対の導体のうちの他方の導体に電気的に接続する位置と、前記バイパス部材の他端と前記他方の導体との電気的な接続を遮断する位置と、に切り替えるバイパス位置切替機構と、
を備えたことを特徴とするバイパス断路器。
【請求項２】
導電材料によって形成され、電源または負荷に電気的に接続されたリード線と前記一方の導体とに電気的に接続され、前記他方の導体との電気的な接続を遮断する位置に位置付けられた前記バイパス部材を収容した状態で支持するカバー部材を備えたことを特徴とする請求項１に記載のバイパス断路器。
【請求項３】
前記バイパス位置切替機構は、前記一方の導体側の端部を中心として回動可能に設けられた前記バイパス部材を回動させることによって当該バイパス部材の位置を切り替えることを特徴とする請求項１または２に記載のバイパス断路器。
【請求項４】
前記バイパス位置切替機構は、前記バイパス部材の回動に連動して回転するギアと当該ギアに設けられて所定の工具を連結可能な工具連結部とを備え、当該ギアの回転に連動して前記バイパス部材を回動させることによって当該バイパス部材の位置を切り替えることを特徴とする請求項３に記載のバイパス断路器。
【請求項５】
前記所定の工具は、間接活線工法による作業に用いる絶縁操作棒の先端に着脱可能であることを特徴とする請求項４に記載のバイパス断路器。
【請求項６】
前記所定の工具は、
前記遮断器の操作に供される機構を収容する操作箱内に収納され、当該操作箱から取り外された場合に、前記操作箱に設けられて前記真空遮断器による遮断動作の実行を規制するリミットスイッチを作動させ、当該操作箱に取り付けられた状態において、前記リミットスイッチを不作動とすることを特徴とする請求項４または５に記載のバイパス断路器。
【請求項７】
前記バイパス部材が、当該バイパス部材の他端を前記一対の導体のうちの他方の導体に電気的に接続する位置に位置付けられている場合に、外部から視認可能な位置に変位する報知部材を備えたことを特徴とする請求項１〜６のいずれか一つに記載のバイパス断路器。
【請求項８】
前記報知部材は、前記バイパス部材の他端に当接する位置に設けられ、当該他端の自重によって付勢されることによって突出することを特徴とする請求項７に記載のバイパス断路器。
【発明の詳細な説明】
【技術分野】
【０００１】
この発明は、遮断器に設けられるバイパス断路器に関する。
【背景技術】
【０００２】
保護継電器の取替工事や当該保護継電器を遠隔制御する遠隔制御装置の取替工事などをおこなった場合、取替をおこなった各装置から遮断器を開閉させることによって当該遮断器の動作確認を実施している。遮断器は、電気系統内に設置された、上記の取替工事とは別の各装置の点検時などにおいても、開閉したり開放したりする場合がある。従来、遮断器の開閉に際しては、当該遮断器を含む電力系統の停電が必要であった。
【０００３】
また、従来、具体的には、たとえば、引出型真空遮断器においてバイパス断路器を設け、真空遮断器を引き出した際にバイパス断路器が閉路するよう構成し、停電することなく真空遮断装置を点検することができるようにした技術があった（たとえば、下記特許文献１を参照。）。
【先行技術文献】
【特許文献】
【０００４】
【特許文献１】特開２００３−２３５１２１号公報
【発明の概要】
【発明が解決しようとする課題】
【０００５】
しかしながら、上述した従来の技術は、遮断器の開閉に際して電力系統の停電を必要とするため、該当する遮断器が設置されている電力系統に接続される顧客（電気使用者）の都合や当該電力系統の運用上の都合などによって停電が難しい場合は、遮断器の開閉試験を実施できないという問題があった。
【０００６】
上述した従来の技術において、遮断器を実際に開閉して試験ができない場合は、たとえば、機器側の制御ケーブルを切り離してケーブル側で制御電圧がかかることを確認することにより遮断器の開閉試験を代替する場合があったが、この場合は遮断器の開閉試験の信頼性に劣るという問題があった。
【０００７】
また、停電可能な送電線であっても、実際に電力系統を停電する時期や時間帯は、たとえば、年末年始、ゴールデンウィーク、深夜のみなどのように制約を受けることが多い。このため、上述した従来の技術は、停電をともなう作業の調整が煩わしく、遮断器の開閉試験を円滑に実施できないという問題があった。
【０００８】
また、停電に制約を受ける電力系統は停電頻度が少ないため、当該電力系統を停電する場合は遮断器の開閉試験の他に、該当する電力系統において同時におこなう作業項目や作業量が増大する傾向にある。そして、作業項目が複数存在する場合や作業量が多い場合は、複数の作業班が分担して作業をおこなう場合がある。このため、上述した従来の技術は、作業班どうしの作業予定の調整をおこなわなくてはならず、煩雑であるという問題があった。
【０００９】
また、このため、上述した従来の技術は、他の作業班の作業の完了待ち時間などの無駄な時間が生じたために作業が予定どおりに進捗しない場合があり、作業を円滑に実施することが難しいという問題があった。また、上述した特許文献１に記載された従来の技術は、引出し式の真空遮断器において有効な技術であり、屋外据置型の遮断器へ適用することは難しいという問題があった。
【００１０】
この発明は、上述した従来技術による問題点を解消するため、屋外設置型の遮断器の開閉試験を円滑におこなうことができるバイパス断路器を提供することを目的とする。
【課題を解決するための手段】
【００１１】
上述した課題を解決し、目的を達成するため、この発明にかかるバイパス断路器は、導電材料によって形成され、一端が、遮断器における遮断部の両端に設けられた一対の導体のうちの一方の導体に電気的に接続されたバイパス部材と、前記バイパス部材の位置を、前記バイパス部材の他端を前記一対の導体のうちの他方の導体に電気的に接続する位置と、前記バイパス部材の他端と前記他方の導体との電気的な接続を遮断する位置と、に切り替えるバイパス位置切替機構と、を備えたことを特徴とする。
【００１２】
また、この発明にかかるバイパス断路器は、上記の発明において、導電材料によって形成され、電源または負荷に電気的に接続されたリード線と前記一方の導体とに電気的に接続され、前記他方の導体との電気的な接続を遮断する位置に位置付けられた前記バイパス部材を収容した状態で支持するカバー部材を備えたことを特徴とする。
【００１３】
また、この発明にかかるバイパス断路器は、上記の発明において、前記バイパス位置切替機構が、前記一方の導体側の端部を中心として回動可能に設けられた前記バイパス部材を回動させることによって当該バイパス部材の位置を切り替えることを特徴とする。
【００１４】
また、この発明にかかるバイパス断路器は、上記の発明において、前記バイパス位置切替機構が、前記バイパス部材の回動に連動して回転するギアと当該ギアに設けられて所定の工具を連結可能な工具連結部とを備え、当該ギアの回転に連動して前記バイパス部材を回動させることによって当該バイパス部材の位置を切り替えることを特徴とする。
【００１５】
また、この発明にかかるバイパス断路器は、上記の発明において、前記所定の工具が、間接活線工法による作業に用いる絶縁操作棒の先端に着脱可能であることを特徴とする。
【００１６】
また、この発明にかかるバイパス断路器は、上記の発明において、前記所定の工具が、前記遮断器の操作に供される機構を収容する操作箱内に収納され、当該操作箱から取り外された場合に、前記操作箱に設けられて前記真空遮断器による遮断動作の実行を規制するリミットスイッチを作動させ、当該操作箱に取り付けられた状態において、前記リミットスイッチを不作動とすることを特徴とする。
【００１７】
また、この発明にかかるバイパス断路器は、上記の発明において、前記バイパス部材が、当該バイパス部材の他端を前記一対の導体のうちの他方の導体に電気的に接続する位置に位置付けられている場合に、外部から視認可能な位置に変位する報知部材を備えたことを特徴とする。
【００１８】
また、この発明にかかるバイパス断路器は、上記の発明において、前記報知部材が、前記バイパス部材の他端に当接する位置に設けられ、当該他端の自重によって付勢されることによって突出することを特徴とする。
【発明の効果】
【００１９】
この発明にかかるバイパス断路器によれば、遮断器を含む電力系統を停電させることなく当該遮断器の開閉試験をおこなうことができるという効果を奏する。
【図面の簡単な説明】
【００２０】
【図１】この発明にかかる実施の形態のバイパス断路器の構成を示す説明図（その１）である。
【図２】この発明にかかる実施の形態のバイパス断路器の構成を示す説明図（その２）である。
【図３】所定の工具を実現する先端工具の一例を示す説明図である。
【図４】この発明にかかる実施の形態のバイパス断路器が備える報知部材を示す説明図（その１）である。
【図５】この発明にかかる実施の形態のバイパス断路器が備える報知部材を示す説明図（その２）である。
【図６】この発明にかかる実施の形態のバイパス断路器の動作を示す説明図である。
【発明を実施するための形態】
【００２１】
以下に添付図面を参照して、この発明にかかるバイパス断路器の好適な実施の形態を詳細に説明する。
【００２２】
まず、この発明にかかる実施の形態のバイパス断路器の構成について説明する。図１および図２は、この発明にかかる実施の形態のバイパス断路器の構成を示す説明図である。図１においては、この発明にかかる実施の形態のバイパス断路器、および、当該バイパス断路器が設けられた真空遮断器を示している。図２においては、真空遮断器の一部を概略的に示している。
【００２３】
図１および図２において、この発明にかかる実施の形態のバイパス断路器１００は、屋外に設置される屋外設置型の真空遮断器１１０などの遮断器に設けられる。真空遮断器１１０は、開閉可能な電極を備え、当該電極を開放するいわゆる引き外しをおこなうことによって、真空遮断器１１０を含む電力系統に流れる電流を遮断する。これによって、短絡事故電流などの事故電流を遮断することができ、負荷側の設備を保護するとともに、上流側への事故波及を防止することができる。
【００２４】
真空遮断器１１０は、内側が高真空状態とされた図示を省略する接地タンクを備えている。接地タンクには、当該接地タンクの外周側へ向かって突出するブッシング１１１、１１２が設けられている。ブッシング１１１、１１２は、それぞれ、接地タンク上に設けられたブッシング変流器によって支持されている。また、ブッシング１１１、１１２は、それぞれ、絶縁材料を用いて形成されている。ブッシング１１１の先端には、報知部材１０７が設けられている。
【００２５】
接地タンク内には、図示を省略する真空インタラプタ（遮断部）が設けられている。真空インタラプタ（遮断部）は、セラミックなどを用いて形成された絶縁筒と、当該絶縁筒の両端に封着された金属製の固定側端板および可動側端板と、からなる真空容器を備えている。接地タンク内において、真空インタラプタ（遮断部）が備える真空容器の周囲には、絶縁性能に優れた気体が封入されている。具体的には、接地タンク内には、たとえば、六フッ化硫黄ガス（ＳＦ6ガス）が封入されている。
【００２６】
真空容器の内側には、固定電極および可動電極（いずれも図示を省略する）が設けられている。固定電極および可動電極は、真空容器の内側において対向した状態で取り付けられている。固定電極は、図示を省略する固定側のリードの先端に設けられている。可動電極は、図示を省略する可動側のリードの先端に設けられている。可動側のリードは、可動電極を固定電極に対して接離させる方向に移動可能とされている。
【００２７】
真空容器には、当該真空容器の内側から外周側へ向かって突出する一対の導体（いずれも図示を省略する）が設けられている。一対の導体は、真空容器から突出し、さらに接地タンクから突出するように設けられている。上記のブッシング１１１、１１２は、接地タンクから突出する導体を覆うように設けられている。一対の導体において、接地タンクの外側に突出した先端には、ブッシング端子１１１ａ、１１２ａが設けられている。ブッシング端子１１１ａは、負荷に電気的に接続されたリード線１０８に、電気的に接続されている。
【００２８】
固定電極が設けられたリード（固定側のリード）は、一対の導体のうちの一方の導体（ブッシング１１２に覆われた導体）に電気的に接続されている。可動電極が設けられたリード（可動側のリード）は、一対の導体のうちの他方の導体（ブッシング１１１に覆われた導体）に電気的に接続されている。可動側のリードは、固定側のリードに対して接離する方向に移動可能とされている。可動側のリードには、レバーや絶縁操作ロッドなどを含む操作機構が連結されている。
【００２９】
このような構成の真空遮断器１１０においては、たとえば、投入指令に応じて操作機構を駆動すると、レバーおよび絶縁操作ロッドを介して、可動側のリードが固定側のリードに接近する方向に移動する。そして、可動側のリードの移動にともなって可動電極が移動することによって当該可動電極が固定電極と接触する。これによって、一対の導体間が電気的に接続され、真空遮断器１１０における投入動作が実現される。
【００３０】
また、このような構成の真空遮断器１１０においては、たとえば、引き外し指令に応じて操作機構を駆動すると、レバーを介して絶縁操作ロッドが引っ張られ、可動側のリードが固定側のリードから離間する方向に移動する。そして、可動側のリードの移動にともなって可動電極が移動することによって可動電極と固定電極とが開離する。これによって、一対の導体間が遮断され、真空遮断器１１０における遮断動作が実現される。
【００３１】
真空インタラプタ（遮断部）は、上記したような投入動作や遮断動作に際して可動側のリードが動いた場合にも真空容器内の真空を保つことができるように、伸縮自在なベローズを備えている。なお、この実施の形態において、真空遮断器１１０の詳細な構成については、公知の技術であるため説明を省略する。
【００３２】
上記の操作機構は、接地タンクの外側に設けられた操作箱１１３に収容されている。操作箱１１３内には、リミットスイッチ２０１が取り付けられている。リミットスイッチ２０１は、所定の工具を実現する先端工具２１０が操作箱１１３から取り外された場合に、真空遮断器１１０による遮断動作の実行を規制する。
【００３３】
また、操作箱１１３内には、所定の工具を保持するホルダー２０２が設けられている。ホルダー２０２は、当該ホルダー２０２に対する所定の工具の着脱を可能とする開状態と、当該ホルダー２０２に対する所定の工具の着脱を規制する閉状態と、に切り換え可能とされている。
【００３４】
操作箱１１３には、ホルダー２０２の状態を開状態と閉状態とに切り換える電磁ロック（図示を省略する）が設けられている。電磁ロックは、真空遮断器１１０が切状態にある場合は所定の工具を操作箱１１３から取り出すことができないように、ホルダー２０２の状態を閉状態とする。電磁ロックは、たとえば、ホルダー２０２に設けられた鉄板などの吸着部材を、強力な電磁石の力を用いて吸着することによりホルダー２０２の状態を閉状態とする。電磁ロックについては、公知の技術であるため説明を省略する。
【００３５】
バイパス断路器１００は、バイパス部材１０１を備えている。バイパス部材１０１は、ブッシング端子１１２ａに取り付けられている。バイパス部材１０１は、導電材料によって形成されている。バイパス部材１０１は、バイパス部材１０１における一方の導体側の端部に設けられたギア１０２、および、当該ギア１０２をブッシング端子１１２ａに固定する固定部材１０３を介して、当該ギア１０２の回転中心を中心として回動可能に設けられている。
【００３６】
ギア１０２および固定部材１０３は、導電材料によって形成されている。これにより、バイパス部材１０１は、一端側において、ギア１０２や固定部材１０３を介して他方の導体に電気的に接続されている。ギア１０２は、所定の工具を連結可能な工具連結部１０２ａを備えている。工具連結部１０２ａは、たとえば、ギア１０２の外周に設けられた、ギア歯によって実現することができる。
【００３７】
バイパス部材１０１の一端には、バランスウエイト１０４が設けられている。バランスウエイト１０４を設けることにより、バイパス部材１０１の位置を安定化させ、バイパス部材１０１の回動を円滑におこなわせることができる。バランスウエイト１０４は、バイパス部材１０１と一体に形成することができる。あるいは、バランスウエイト１０４は、バイパス部材１０１とは別体で設けられていてもよい。
【００３８】
バイパス部材１０１は、ギア１０２の回転中心を回動中心として回動することにより、バイパス部材１０１の他端１０１ａを一対の導体のうちの他方の導体（ブッシング１１１に覆われた導体）に電気的に接続する位置と、バイパス部材１０１の他端１０１ａと他方の導体との電気的な接続を遮断する位置と、に変位可能とされている。バイパス部材１０１は、ギア１０２が回転した場合に、当該ギア１０２の回転に連動して回動することによって、バイパス部材１０１の他端１０１ａを一対の導体のうちの他方の導体に電気的に接続する位置と、バイパス部材１０１の他端１０１ａと他方の導体との電気的な接続を遮断する位置と、に変位する。
【００３９】
他方の導体の先端であるブッシング端子１１２ａには、カバー部材１０５が設けられている。カバー部材１０５は、導電材料によって形成されている。カバー部材１０５は、内側に、他方の導体との電気的な接続を遮断する位置に位置付けられた状態のバイパス部材１０１を収容する空間と、当該空間と外部とを連通するスリットと、を備えている。カバー部材１０５は、他方の導体との電気的な接続を遮断する位置に位置付けられた状態のバイパス部材１０１を収容した状態で支持する。
【００４０】
スリットは、カバー部材１０５におけるブッシング１１１側に設けられ、ブッシング１１１側を開放する。バイパス部材１０１は、回動することによって、スリットを介してカバー部材１０５に対して出入りする。カバー部材１０５は、他方の導体を覆うブッシング端子１１２ａに電気的に接続されている。また、カバー部材１０５は、電源に電気的に接続されたリード線１０６に、電気的に接続されている。
【００４１】
図３は、所定の工具を実現する先端工具２１０の一例を示す説明図である。図３において、所定の工具を実現する先端工具２１０は、略円柱形状をなしている。先端工具２１０は、内側に、間接活線工具を支持する間接活線作業用の絶縁操作棒３００（図６を参照）の先端を挿入可能な空間３０１を備えている。これにより、間接活線作業用の絶縁操作棒３００の先端に、先端工具２１０を取り付けることが可能とされている。先端工具２１０の外周面には、工具連結部１０２ａを実現するギア歯に噛み合うネジ山３０２が設けられている。
【００４２】
これにより、先端工具２１０のネジ山３０２をギア１０２における工具連結部１０２ａであるギア歯に噛み合わせた状態で、先端工具２１０を支持する間接活線作業用の絶縁操作棒３００を当該間接活線作業用の絶縁操作棒３００の軸心を中心として回転させることによって、ギア１０２を回転させることができる。そして、ギア１０２を回転させることによって、バイパス部材１０１を回動させ、バイパス部材１０１の位置を切り替えることができる。
【００４３】
先端工具２１０は、操作箱１１３内に収容されている。先端工具２１０は、操作箱１１３から取り外された場合に上記のリミットスイッチ２０１を作動させ、当該操作箱１１３に取り付けられた状態においてリミットスイッチ２０１を不作動とする。これによって、先端工具２１０を用いて作業をおこなうことができる状況を制限し、バイパス部材１０１の他端１０１ａとブッシング端子１１１ａとの電気的接続が遮断されている状態において先端工具２１０を用いてバイパス部材１０１が操作されることによって真空遮断器１１０が不用意に遮断されることを防止することができる。
【００４４】
真空遮断器１１０が切状態である場合は、電磁ロックによりホルダー２０２が閉状態とされ、先端工具２１０を操作箱１１３から取り出すことができなくなる。これによって、遮断状態である真空遮断器１１０が作業中に不用意に動作して投入状態となることを防止することができる。この実施の形態においては、バイパス部材１０１を回動させる構成によってバイパス位置切替機構を実現することができる。
【００４５】
ブッシング１１１の先端には、報知部材１０７が設けられている。報知部材１０７は、バイパス部材１０１が、当該バイパス部材１０１の他端１０１ａを他方の導体（ブッシング１１１に覆われた導体）に電気的に接続する位置に位置付けられていることを報知する。報知部材１０７は、バイパス部材１０１が、当該バイパス部材１０１の他端１０１ａが他方の導体（ブッシング１１１に覆われた導体）から電気的に遮断される位置に位置付けられている状態と、当該バイパス部材１０１の他端１０１ａを他方の導体（ブッシング１１１に覆われた導体）に電気的に接続する位置に位置付けられている状態と、で態様が異なる。
【００４６】
図４および図５は、この発明にかかる実施の形態のバイパス断路器１００が備える報知部材１０７を示す説明図である。図４においては、バイパス部材１０１が、当該バイパス部材１０１の他端１０１ａを他方の導体（ブッシング１１１に覆われた導体）に電気的に接続する位置に位置付けられている状態を示している。図５においては、バイパス部材１０１が、当該バイパス部材１０１の他端１０１ａが他方の導体（ブッシング１１１に覆われた導体）から電気的に遮断される位置に位置付けられている状態を示している。
【００４７】
図４および図５において、報知部材１０７は、支点４０１を中心として揺動可能な揺動部材４０２と、当該揺動部材４０２の両端にそれぞれ設けられた突起部材４０３、４０４と、によって構成される。支点４０１は、ブッシング１１１の先端に設けられた凹部４０５内に設けられている。凹部４０５は、バイパス部材１０１が、当該バイパス部材１０１の他端１０１ａを他方の導体（ブッシング１１１に覆われた導体）に電気的に接続する位置に位置付けられている場合に、当該他端１０１ａが嵌り込むことができる形状とされている。
【００４８】
揺動部材４０２は、凹部４０５内に設けられた支点４０１を回動中心として揺動することにより、ブッシング１１１側の端部またはブッシング１１２側の端部のいずれか一方を上方へ移動させるとともに、ブッシング１１１側の端部またはブッシング１１２側の端部のいずれか一方を上方へ移動させた状態においてはいずれか他方を下方へ移動させるようにして揺動する。
【００４９】
揺動部材４０２の両端に設けられた突起部材４０３、４０４のうち、ブッシング１１２側に設けられた突起部材４０４は、ブッシング１１２側の端部が上方へ移動した状態において凹部４０５から突出し、ブッシング１１１側の端部が上方へ移動した状態において凹部４０５内に収容されるように設けられている。揺動部材４０２の両端に設けられた突起部材４０３、４０４のうち、ブッシング１１１側に設けられた突起部材４０３は、ブッシング１１２側の端部が上方へ移動した状態において凹部４０５内に収容され、ブッシング１１１側の端部が上方へ移動した状態において凹部４０５から突出するように設けられている。
【００５０】
揺動部材４０２は、当該揺動部材４０２に対する支点４０１の位置を調整することにより、バイパス部材１０１が他方の導体（ブッシング１１１に覆われた導体）との電気的な接続を遮断する位置に位置付けられている状態においては、ブッシング１１２側の端部が上方へ移動する位置に位置付けられるように設けられている。これにより、突起部材４０４は、バイパス部材１０１が他方の導体（ブッシング１１１に覆われた導体）との電気的な接続を遮断する位置に位置付けられている状態において、凹部４０５から突出する位置に位置付けられる。
【００５１】
また、揺動部材４０２は、バイパス部材１０１の他端１０１ａが凹部４０５に嵌り込んだ状態、すなわち、バイパス部材１０１が他方の導体（ブッシング１１１に覆われた導体）と電気的に接続する位置に位置付けられている状態において、当該バイパス部材１０１の他端１０１ａの自重によって付勢され、ブッシング１１１側の端部が上方へ移動するように揺動する。これにより、突起部材４０３は、バイパス部材１０１が他方の導体（ブッシング１１１に覆われた導体）と電気的に接続する位置に位置付けられている状態において、凹部４０５から突出する位置に位置付けられる。
【００５２】
突起部材４０３には、たとえば、「バイパス入中」など、バイパス部材１０１によって一方の導体（ブッシング１１２に覆われた導体）と他方の導体（ブッシング１１１に覆われた導体）とが電気的に接続されていることを報知するメッセージが記載されている。また、突起部材４０３は、当該突起部材４０３自体を赤く着色するなどして、突起部材４０３が突出していることを目立たせる加工がなされていてもよい。このように、突起部材４０３が突出した状態であることを目立たせることにより、作業者に対してバイパス断路器１００によって一対の導体どうしが電気的に接続されていることを意識付けることができる。
【００５３】
図６は、この発明にかかる実施の形態のバイパス断路器１００の動作を示す説明図である。図６において、このような、バイパス断路器１００が設けられた真空遮断器１１０の点検操作に際しては、まず、操作箱１１３から先端工具２１０を取り外し、取り外した所定の工具を間接活線作業用の絶縁操作棒３００の先端に取り付ける。先端工具２１０には、当該先端工具２１０が間接活線作業用の絶縁操作棒３００の先端に取り付けられた状態でロックされるよう、ロック用の突起などが設けられていてもよい。
【００５４】
つぎに、間接活線作業用の絶縁操作棒３００の先端に取り付けられた先端工具２１０を、当該先端工具２１０の外周面に設けられたネジ山３０２がギア１０２の歯部に噛み合う位置に位置付ける。そして、先端工具２１０の外周面に設けられたネジ山３０２とギア１０２の歯部とを噛み合わせた状態で、間接活線作業用の絶縁操作棒３００を当該絶縁操作棒３００の軸心を中心として回転させる。これによって、ギア１０２が回転し、バイパス部材１０１を回動させることができる。
【００５５】
間接活線作業用の絶縁操作棒３００の回転方向は、バイパス部材１０１の位置に応じて適宜調整する。すなわち、バイパス部材１０１が当該バイパス部材１０１の他端１０１ａと他方の導体（ブッシング１１１に覆われた導体）との電気的な接続を遮断する位置に位置付けられている場合は、バイパス部材１０１が当該バイパス部材１０１の他端１０１ａを他方の導体（ブッシング１１１に覆われた導体）に電気的に接続する位置に位置付けられる方向に回動するように、間接活線作業用の絶縁操作棒３００を回転させる。同様に、バイパス部材１０１が当該バイパス部材１０１の他端１０１ａを他方の導体（ブッシング１１１に覆われた導体）に電気的に接続する位置に位置付けられる場合は、バイパス部材１０１が当該バイパス部材１０１の他端１０１ａと他方の導体（ブッシング１１１に覆われた導体）との電気的な接続を遮断する位置に位置付けられる方向に回動するように、間接活線作業用の絶縁操作棒３００を回転させる。
【００５６】
バイパス部材１０１が、バイパス部材１０１の他端１０１ａと他方の導体（ブッシング１１１に覆われた導体）との電気的な接続を遮断する位置から、当該バイパス部材１０１の他端１０１ａを他方の導体（ブッシング１１１に覆われた導体）に電気的に接続する位置に回動した場合、バイパス部材１０１の他端１０１ａが凹部４０５に嵌り込む。これにより、バイパス部材１０１の他端１０１ａによって突起部材４０４が付勢され、突起部材４０３が凹部４０５から突出する位置に位置付けられる。
【００５７】
バイパス部材１０１が、バイパス部材１０１の他端１０１ａと他方の導体（ブッシング１１１に覆われた導体）とが電気的に接続する位置から、当該バイパス部材１０１の他端１０１ａと他方の導体（ブッシング１１１に覆われた導体）とが電気的に遮断する位置に回動した場合、凹部４０５に嵌り込んでいたバイパス部材１０１の他端１０１ａによる突起部材４０４への付勢が解除される。これにより、揺動部材４０２が支点４０１を中心として揺動し、突起部材４０３は凹部４０５内に収容され、突起部材４０４が凹部４０５から突出する位置に位置付けられる。
【００５８】
作業者は、バイパス部材１０１を所望の位置に位置付けた後、バイパス部材１０１を回動させるために用いた先端工具２１０を、操作箱１１３内のホルダー２０２に装着させる。これによって、リミットスイッチ２０１によって断路されていた、真空遮断器１１０のトリップ回路が機能し、真空遮断器１１０による遮断動作が可能とされる。
【００５９】
この実施の形態においては、ブッシング端子にバイパス部材１０１およびカバー部材１０５を設けた例について説明したが、バイパス部材１０１およびカバー部材１０５はブッシング端子に接続されていてもよい。この場合、カバー部材１０５には、負荷に電気的に接続されたリード線１０８が電気的に接続される。
【００６０】
以上説明したように、この発明にかかる実施の形態のバイパス断路器１００は、遮断器導電材料によって形成され、一端が、真空遮断器１１０における遮断部の両端に設けられた一対の導体のうちの一方の導体に電気的に接続されたバイパス部材１０１を備え、当該バイパス部材１０１の位置を、バイパス部材１０１の他端１０１ａを一対の導体のうちの他方の導体に電気的に接続する位置と、バイパス部材１０１の他端１０１ａと他方の導体との電気的な接続を遮断する位置と、に切り替えるように構成したことを特徴としている。
【００６１】
この発明にかかる実施の形態のバイパス断路器１００によれば、バイパス部材１０１によって一対の導体どうしを電気的に接続することができる。これによって、バイパス断路器１００が設けられた真空遮断器１１０を含む電力系統を停電させることなく、当該真空遮断器１１０を切断することができる。
【００６２】
すなわち、この発明にかかる実施の形態のバイパス断路器１００を用いることにより、真空遮断器１１０が投入状態であるか遮断状態であるかにかかわらず、真空遮断器１１０を含む電力系統を通電状態としておくことができるため、保護継電器の取替工事や当該保護継電器を遠隔制御する遠隔制御装置の取替工事などをおこなった場合に、該当する真空遮断器１１０が設置されている電力系統に接続される顧客（電気使用者）の都合や当該電力系統の運用上の都合などに起因する制約を受けることなく、取替をおこなった各装置から真空遮断器１１０を開閉させて当該真空遮断器１１０の動作確認を実施することができる。
【００６３】
これによって、該当する真空遮断器１１０が設置されている電力系統に接続される顧客（電気使用者）都合や当該電力系統の運用上の都合などに応じて開閉試験にかかる作業予定を調整する煩わしさをなくし、適宜、屋外設置型の真空遮断器１１０の開閉試験を円滑におこなうことができる。また、屋外設置型の真空遮断器１１０の開閉試験を確実におこなうことができるので、真空遮断器１１０の開閉試験の信頼性の向上を図ることができる。
【００６４】
このように、この発明にかかる実施の形態のバイパス断路器１００を用いることにより、当該バイパス断路器１００が設けられた真空遮断器１１０を含む電力系統における保護継電装置や遠隔監視制御装置の各装置から、制御ケーブル区間を含めた開閉試験をおこなうことができ、当該電力系統全体の健全性を確認することができる。
【００６５】
また、この発明にかかる実施の形態のバイパス断路器１００を用いることにより、真空遮断器１１０が投入状態であるか遮断状態であるかにかかわらず、真空遮断器１１０を含む電力系統を通電状態としておくことができるため、該当する電力系統において同時におこなう作業項目や作業量が増大することを抑制し、該当する電力系統に対する作業が集中することを抑制することができる。これによって、異なる作業を担当する作業班どうしの作業予定を調整する煩わしさをなくし、適宜、屋外設置型の遮断器の開閉試験を円滑におこなうことができる。
【００６６】
また、これによって、異なる作業を担当する作業班どうしの作業予定を調整することなく、各作業を独立しておこなうことができるので、他の作業班の作業の完了待ち時間などの無駄な時間が生じたために作業が予定どおりに進捗せず、作業完了に遅れが生じるなどの不具合の発生を防止することができる。これによって、作業を円滑に実施することができる。
【００６７】
また、この発明にかかる実施の形態のバイパス断路器１００は、導電材料によって形成され、電源または負荷に電気的に接続されたリード線と一方の導体とに電気的に接続され、他方の導体との電気的な接続を遮断する位置に位置付けられたバイパス部材１０１を収容した状態で支持するカバー部材１０５を備えたことを特徴としている。
【００６８】
この発明にかかる実施の形態のバイパス断路器１００によれば、バイパス部材１０１の他端１０１ａと他方の導体との電気的な接続を遮断する位置に位置付けられている状態のバイパス部材１０１をカバー部材１０５によって収容した状態で支持することができるので、バイパス部材１０１の他端１０１ａと他方の導体との電気的な接続を遮断する位置に位置付けられている状態のバイパス部材１０１の位置を安定化し、バイパス部材１０１が不用意に他方の導体に電気的に接続する位置に回動してしまうことを防止することができる。
【００６９】
また、この発明にかかる実施の形態のバイパス断路器１００は、一方の導体側の端部を中心として回動可能に設けられたバイパス部材１０１を回動させることによって当該バイパス部材１０１の位置を切り替えることを特徴としている。
【００７０】
この発明にかかる実施の形態のバイパス断路器１００によれば、簡易な構成によって、バイパス部材１０１の位置を切り替えることができる。これによって、電力系統を停電させることなく遮断器を切断することができるバイパス断路器１００を簡易な構成によって実現することができる。
【００７１】
また、この発明にかかる実施の形態のバイパス断路器１００は、バイパス部材１０１の回動に連動して回転するギア１０２と当該ギア１０２に設けられて所定の工具を連結可能な工具連結部１０２ａとを備え、当該ギア１０２の回転に連動してバイパス部材１０１を回動させることによって当該バイパス部材１０１の位置を切り替えることを特徴としている。
【００７２】
この発明にかかる実施の形態のバイパス断路器１００によれば、工具を用いてバイパス部材１０１を回動させることができるので、バイパス部材１０１を回動させる作業を確実におこなうことができる。また、工具を用いてバイパス部材１０１を回動させることにより、作業者が真空遮断器１１０に直接触れることを抑制し、作業の安全性の向上を図ることができる。
【００７３】
また、この発明にかかる実施の形態のバイパス断路器１００は、所定の工具が、間接活線工法による作業に用いる絶縁操作棒３００の先端に着脱可能であることを特徴としている。この発明にかかる実施の形態のバイパス断路器１００によれば、バイパス部材１０１を回動させる作業に際して、所定の工具とは別の先端工具２１０を装着して使用可能な絶縁操作棒３００を流用することができる。これによって、バイパス断路器１００および真空遮断器１１０に対する作業に際して携帯する工具を減らすことができ、作業性の向上を図ることができる。
【００７４】
また、この発明にかかる実施の形態のバイパス断路器１００は、所定の工具が、真空遮断器１１０の操作に供される機構を収容する操作箱１１３内に収納され、当該操作箱１１３から取り外された場合に、操作箱１１３に設けられて真空遮断器１１０による遮断動作の実行を規制するリミットスイッチ２０１を作動させ、当該操作箱１１３に取り付けられた状態において、リミットスイッチ２０１を不作動とすることを特徴としている。
【００７５】
この発明にかかる実施の形態のバイパス断路器１００によれば、真空遮断器１１０が遮断動作を実行している場合にバイパス断路器１００に対する操作を防止することができ、所定の工具を用いてバイパス断路器１００に対する作業をおこなっていると想定される間は真空遮断器１１０の遮断動作の実行が規制されるので、真空遮断器１１０が不用意に動作して当該真空遮断器１１０を含む電力系統が不用意に停電することを防止することができる。これによって、作業を円滑かつ確実に実施することができる。
【００７６】
また、この発明にかかる実施の形態のバイパス断路器１００が設けられた真空遮断器１１０は、先端工具２１０が取り外されている間は、真空遮断器１１０の引き外し回路をロックする回路とされているため、バイパス断路器１００に対する操作をおこなっている場合に真空遮断器１１０が遮断動作を実行することを防止することができる。これによって、作業を円滑かつ確実に実施することができる。なお、この発明にかかる実施の形態のバイパス断路器１００が設けられた真空遮断器１１０を含む電力系統においては、バイパス断路器１００によってバイパス回路形成中の電力系統の保護は、母連代替または遠端後備保護によって実現することができる。
【００７７】
また、この発明にかかる実施の形態のバイパス断路器１００は、バイパス部材１０１が、当該バイパス部材１０１の他端１０１ａを一対の導体のうちの他方の導体に電気的に接続する位置に位置付けられている場合に、外部から視認可能な位置に変位する報知部材１０７を備えたことを特徴としている。
【００７８】
この発明にかかる実施の形態のバイパス断路器１００によれば、バイパス部材１０１が、当該バイパス部材１０１の他端１０１ａを一対の導体のうちの他方の導体に電気的に接続する位置に位置付けられていることを、作業者に対して確実に意識付けることができる。これによって、真空遮断器１１０の開閉試験時など、バイパス断路器１００を有効とする状況以外にバイパス部材１０１が他方の導体に電気的に接続する位置に位置付けられている状況をなくし、真空遮断器１１０による遮断動作を有効に機能させることができる。
【００７９】
また、この発明にかかる実施の形態のバイパス断路器１００は、報知部材１０７が、バイパス部材１０１の他端１０１ａに当接する位置に設けられ、当該他端１０１ａの自重によって付勢されることによって突出することを特徴としている。この発明にかかる実施の形態のバイパス断路器１００によれば、電力を使用することなく、バイパス部材１０１が、当該バイパス部材１０１の他端１０１ａを一対の導体のうちの他方の導体に電気的に接続する位置に位置付けられていることを、作業者に対して確実に意識付けることができる。
【産業上の利用可能性】
【００８０】
以上のように、この発明にかかるバイパス断路器は、保護継電器や当該保護継電器を遠隔制御する遠隔制御装置とともに電力系統を構成する遮断器に設けられるバイパス断路器に有用であり、特に、停電することが難しい電力系統に含まれる遮断器に設けられるバイパス断路器に適している。
【符号の説明】
【００８１】
１００  バイパス断路器
１０１  バイパス部材
１０２  ギア
１１１、１１２  ブッシング
１１１ａ、１１２ａ  ブッシング端子
１０４  バランスウエイト
１０５  カバー部材
１１３  操作箱
２１０  先端工具
【図１】
2012253917.tif 000003
【図２】
2012253917.tif 000004
【図３】
2012253917.tif 000005
【図４】
2012253917.tif 000006
【図５】
2012253917.tif 000007
【図６】
2012253917.tif 000008